(57)【要約】      （修正有）【課題】デジタル伝送路の受信側であるＵＨＤＴＶにおいて、元コンテンツの周波数を判定する際に、誤判定となるリスクを低減する電子器機器及び放送信号の判定方法を提供する。【解決手段】液晶テレビ１は、階層符号化された符号化データを復号する復号部２２と、復号部２２により符号化データを第１階層のストリームとして復号することで生成されたデータを表示タイミング順に並べ、表示タイミングの隣接するデータが同一内容であることを判定するとともに、復号部２２により符号化データを復号することで生成されたデータの内、階層符号化された符号化データを第１階層よりも下位の第２階層のストリームとして復号することで生成されたデータを表示タイミング順に並べ、表示タイミングの隣接するデータが同一内容であることを判定し、第１判定部と第２判定部の判定結果をもとに、階層符号化される前のデータのプルダウン方式を判定する判定部２３とを備える。【選択図】図１
2017108245.tif 000002
【特許請求の範囲】
【請求項１】
階層符号化された符号化データを復号する復号部と、
前記復号部により前記符号化データを第１の階層のストリームとして復号することで生成されたデータにおける、表示タイミングの順において隣接するデータが同一内容であることを判定する第１の判定部と、
前記復号部により前記符号化データを復号することで生成されたデータのうち、前記階層符号化された前記符号化データを前記第１の階層よりも下位の第２の階層のストリームとして復号することで生成されたデータにおける、表示タイミングの順において隣接するデータが同一内容であることを判定する第２の判定部と、
前記第１の判定部と前記第２の判定部により判定された結果をもとに、同一内容のデータの並び順から前記階層符号化される前のデータのプルダウンの方式を判定するパターン判定部と
を具備する電子機器。
【請求項２】
前記パターン判定部は、前記第２の判定部による判定結果を用いて同一内容のデータの並び順のパターンの判定を行った後に、更に前記第１の判定部による判定結果を用いて同一内容のデータの並び順のパターンの判定を行うことで、前記プルダウンの方式を判定する
請求項１記載の電子機器。
【請求項３】
前記復号部が前記階層符号化された前記符号化データの前記第２の階層のストリームを復号することで生成されたデータの表示タイミングの順に並べた場合における、隣接するデータの時間間隔は、前記復号部が前記階層符号化された前記符号化データを前記第１の階層のストリームとして復号することで生成されたデータの表示タイミングの順に並べた場合における、隣接するデータの時間間隔の２倍である
請求項１記載の電子機器。
【請求項４】
前記第２の階層のストリームの前記符号化データは、すべてのＩピクチャを含む、
請求項１から請求項３のいずれかに記載の電子機器。
【請求項５】
階層符号化された符号化データを復号する復号部と、
前記復号部により前記符号化データを第１の階層のストリームとして復号することで生成されたデータにおける、表示タイミングの順において隣接するデータが同一内容であることを判定する第１の判定部と、
前記復号部により前記符号化データを復号することで生成されたデータのうち、前記階層符号化された前記符号化データを、すべてのＩピクチャを含む前記第１の階層よりも下位の第２の階層のストリームとして復号することで生成されたデータにおける、表示タイミングの順において隣接するデータが同一内容であることを判定する第２の判定部と、
前記第１の判定部と前記第２の判定部により判定された結果をもとに、同一内容のデータの並び順から前記階層符号化される前のデータのプルダウンの方式を判定するパターン判定部と
を具備する電子機器。
【請求項６】
前記パターン判定部は、前記第２の判定部による判定結果を用いて同一内容のデータの並び順のパターンの判定を行った後に、更に前記第１の判定部による判定結果を用いて同一内容のデータの並び順のパターンの判定を行うことで、前記プルダウンの方式を判定する
請求項５記載の電子機器。
【請求項７】
前記復号部が前記階層符号化された前記符号化データの前記第２の階層のストリームを復号することで生成されたデータの表示タイミングの順に並べた場合における、隣接するデータの時間間隔は、前記復号部が前記階層符号化された前記符号化データを前記第１の階層のストリームとして復号することで生成されたデータの表示タイミングの順に並べた場合における、隣接するデータの時間間隔の２倍である
請求項５記載の電子機器。
【請求項８】
階層符号化された符号化データを第１の階層のストリームとし、前記階層符号化された前記符号化データを前記第１の階層よりも下位の第２の階層のストリームとして復号する第１の復号部と、
前記第１の階層のストリームから前記第２の階層のストリームを除いた第３の階層のストリームを復号する第２の復号部と、
前記第１の復号部が復号することで生成されたデータと前記第２の復号部が復号することで生成されたデータの両方のデータにおける、表示タイミングの順において隣接するデータが同一内容であることを判定する第１の判定部と、
前記第１の復号部が復号することで生成された前記データにおける、表示タイミングの順において隣接するデータが同一内容であることを判定する第２の判定部と、
前記第１の判定部と前記第２の判定部により判定された結果をもとに、同一内容のデータの並び順から前記階層符号化される前のデータのプルダウンの方式を判定するパターン判定部と
を具備する電子機器。
【請求項９】
前記パターン判定部は、前記第２の判定部による判定結果を用いて同一内容のデータの並び順のパターンの判定を行った後に、更に前記第１の判定部により判定結果を用いて同一内容のデータの並び順のパターンの判定を行うことで、前記プルダウンの方式を判定する
請求項８記載の電子機器。
【請求項１０】
前記第１の復号部が復号することで生成されたデータの表示タイミングの順に並べた場合における、隣接するデータの時間間隔は、前記第２の復号部が復号することで生成されたデータの表示タイミングの順に並べた場合における、隣接するデータの時間間隔と同一である
請求項８記載の電子機器。
【請求項１１】
前記第２の復号部が復号することで生成された前記データを記憶する記憶部を有し、
前記第１の復号部が復号することで生成された第１のデータと前記第２の復号部が復号することで生成された第２のデータの両方のデータを表示タイミングの順に並べる際に、前記第１の復号部が復号することで前記データを生成するタイミングと、前記第２の復号部が復号することで前記データを生成するタイミングの差に応じて、前記記憶部に前記第２のデータを所定時間滞留させたのち、表示タイミングの順にならべる
請求項８から請求項１０のずれかに記載の電子機器。
【請求項１２】
階層符号化された符号化データを復号する復号部と、
前記復号部により前記符号化データを第１の階層のストリームとして復号することで生成されたデータにおける、表示タイミングの順において隣接するデータが同一内容であることを判定する第１の判定部と、
前記復号部により前記符号化データを復号することで生成されたデータのうち、前記階層符号化された前記符号化データを前記第１の階層よりも下位の第２の階層のストリームとして復号することで生成されたデータにおける、表示する時間順において隣接するデータが同一内容であることを判定する第２の判定部と、
前記第１の判定部と前記第２の判定部により判定された結果をもとに、同一内容のデータの並び順から前記階層符号化される前のデータのプルダウンの方式を判定するパターン判定部とを具備する電子機器における、
放送信号の判定方法。
【請求項１３】
前記パターン判定部は、前記第２の判定部による判定結果を用いて同一内容のデータの並び順のパターンの判定を行った後に、更に前記第１の判定部による判定結果を用いて同一内容のデータの並び順のパターンの判定を行うことで、前記プルダウンの方式を判定する
請求項１２記載の放送信号の判定方法。
【請求項１４】
前記復号部が前記階層符号化された前記符号化データの前記第２の階層のストリームを復号することで生成されたデータの表示タイミングの順に並べた場合における、隣接するデータの時間間隔は、前記復号部が前記階層符号化された前記符号化データを前記第１の階層のストリームとして復号することで生成されたデータの表示タイミングの順に並べた場合における、隣接するデータの時間間隔の２倍である
請求項１２記載の放送信号の判定方法。
【請求項１５】
前記第２の階層のストリームの前記符号化データは、すべてのＩピクチャを含む、
請求項１２から請求項１４のいずれかに記載の放送信号の判定方法。
【請求項１６】
階層符号化された符号化データを第１の階層のストリームとし、前記階層符号化された前記符号化データを前記第１の階層よりも下位の第２の階層のストリームとして復号する第１の復号部と、
前記第１の階層のストリームから前記第２の階層のストリームを除いた第３の階層のストリームを復号する第２の復号部と、
前記第１の復号部が復号することで生成されたデータと前記第２の復号部が復号することで生成されたデータの両方のデータにおける、表示タイミングの順において隣接するデータが同一内容であることを判定する第１の判定部と、
前記第１の復号部が復号することで生成された前記データにおける、表示タイミングの順において隣接するデータが同一内容であることを判定する第２の判定部と、
前記第１の判定部と前記第２の判定部により判定された結果をもとに、同一内容のデータの並び順から前記階層符号化される前のデータのプルダウンの方式を判定するパターン判定部とを具備する電子機器における、
放送信号の判定方法。
【請求項１７】
前記パターン判定部は、前記第２の判定部による判定結果を用いて同一内容のデータの並び順のパターンの判定を行った後に、更に前記第１の判定部による判定結果を用いて同一内容のデータの並び順のパターンの判定を行うことで、前記プルダウンの方式の判定する
請求項１６記載の放送信号の判定方法。
【請求項１８】
前記第２の復号部が復号することで生成された前記データを記憶する記憶部を有し、
前記第１の復号部が復号することで生成された第１のデータと前記第２の復号部が復号することで生成された第２のデータの両方のデータを表示タイミングの順に並べる際に、前記第１の復号部が復号することで前記データを生成するタイミングと、前記第２の復号部が復号することで前記データを生成するタイミングの差に応じて、前記記憶部に前記第２のデータを所定時間滞留させたのち、表示タイミングの順にならべる
請求項１６から請求項１７のいずれかに記載の放送信号の判定方法。
【発明の詳細な説明】
【技術分野】
【０００１】
本発明の実施形態は、電子機器および放送信号の判定に関する。
【背景技術】
【０００２】
一般家庭向けとして普及しているデジタルテレビジョン放送受信装置としては、水平方向に１９２０画素を備え垂直方向に１０８０画素を備える２Ｋ１Ｋと称される高精細な映像の表示に対応したＨＤＴＶ（ｈｉｇｈｔ−ｄｅｆｉｎｉｔｉｏｎ−ｔｅｌｅｖｉｓｉｏｎ）が主流になっている。また、水平方向には３８４０画素を、垂直方向には２１６０画素を備えた４Ｋ２Ｋと称されるＨＤＴＶの４倍の解像度を有する超高精細な映像の表示に対応したＵＨＤＴＶ（Ｕｌｔｒａ ＨＤＴＶ）も実用化が開始されている。
【０００３】
さらに、水平方向に７６８０画素を、垂直方向に４３２０画素を備えた８Ｋ４Ｋと称されＨＤＴＶの１６倍の解像度を有する超高精細な映像の表示に対応したＵＨＤＴＶの開発も行われている。
【０００４】
これら超高精細の映像の表示に対応したＵＨＤＴＶが受信する映像信号に関する通信の方式は、ＡＲＩＢ ＳＴＤ-Ｂ ３．３版 第１部 付属５に規定されている、ＨＥＶＣ規格が含まれている。
【０００５】
このＡＲＩＢの規定に従えば、１２０／Ｐビットストリームを受信できる４Ｋ２Ｋ或いは８Ｋ４ＫのＵＨＤＴＶの通信方式は、プロファイルおよびレベルとしてＭａｉｎ １０ Ｐｒｏｆｉｌｅ、Ｌｅｖｅｌ５．２／Ｌｅｖｅｌ６．２が規定されており、デジタル伝送路上は時間方向階層符号化されたデータが伝送される。
【０００６】
このように１２０Ｈｚの周波数をもつデジタル伝送路を経由して、例えば２４Ｈｚのフレーム周波数をもつ映画コンテンツやアニメコンテンツ等が伝送される場合がある。
【０００７】
この場合映画コンテンツやアニメコンテンツ等の２４Ｈｚの周波数は、プルダウンという方法で１２０Ｈｚに変換された後に符号化されデジタル伝送路上に送出される。このプルダウンという周波数変換の方式は、ある周波数のコンテンツのデータを、周波数を変えたデータとして複数回繰り返すことで周波数変換する技術であり、同一データを回繰り返す回数に応じて、種々のプルダウンの方式が存在している。例えば４６プルダウンという方式は、２４Ｈｚのコンテンツを１２０Ｈｚのコンテンツに周波数を変換する方式の１つである。具体的には２４Ｈｚのデータにおいて隣接する２つのデータ「Ａ」と「Ｂ」を、１２０Ｈｚにおいて「Ａ」「Ａ」「Ａ」「Ａ」「Ｂ」「Ｂ」「Ｂ」「Ｂ」「Ｂ」「Ｂ」と周波数を変換する。デジタル伝送路の受信側であるＵＨＤＴＶは、受信した映像信号を復号し、復号した映像を表示画面に表示する。映像をより最適に表示するために、例えば復号することで生成されたデータの同一データの並び順からプルダウンの方式の判定を行い、判定したプルダウンの方式から元コンテンツの周波数を特定することで、元コンテンツの周波数に応じた表示画面の制御を行う技術が存在している。
【先行技術文献】
【特許文献】
【０００８】
【特許文献１】特開２０１１−１７６６６４号公報
【発明の概要】
【発明が解決しようとする課題】
【０００９】
デジタル伝送路上を流れる時間方向階層符号化された１２０／Ｐビットストリームは、Ｌｅｖｅｌ５．１（２１６０／６０／Ｐ）もしくはＬｅｖｅｌ６．１（４３２０／６０／Ｐ）に準拠したサブビットストリーム（以下６０／Ｐサブビットストリームと呼ぶ。メイン画像と呼ぶこともある。）と、残りの部分（以下１２０／Ｐサブセットと呼ぶ。補間ピクチャと呼ぶこともある。）とに分離されて伝送されることがＡＲＩＢ ＳＴＤ-Ｂ ３．３版 第１部付属５に規定されている。
【００１０】
１２０／Ｐサブセット（補間ピクチャ）は、すべての画像が６０／Ｐサブビットストリーム（メイン画像）から予測して符号化されるため、符号化する時に符号化する前の元のコンテンツの画像から乖離しやすい傾向にある。例えば先に示したように、映画コンテンツやアニメコンテンツ等の２４Ｈｚの周波数を持つコンテンツは、４６プルダウンによる周波数変換を行うと変換前の隣接した２つのデータ「Ａ」「Ｂ」が変換後は「Ａ」「Ａ」「Ａ」「Ａ」「Ｂ」「Ｂ」「Ｂ」「Ｂ」「Ｂ」「Ｂ」と周波数変換される。これら変換後のデータをデジタル伝送路上に送るために時間方向階層符号化すると、１２０／Ｐサブセットとして符号化されるデータは、元のコンテンツの画像である「Ａ」や「Ｂ」から乖離しやすくなる。このため、この１２０／Ｐビットストリームの受信側であるＵＨＤＴＶが、これら符号化されたデータを復号しても符号化前のデータの並び順である「Ａ」「Ａ」「Ａ」「Ａ」「Ｂ」「Ｂ」「Ｂ」「Ｂ」「Ｂ」「Ｂ」とならない場合がある。具体的にはプルダウンされたデータの並び順を「Ａ」「Ａ」「Ｂ」「Ｂ」「Ｂ」「Ｂ」「Ｂ」「Ｂ」とし、これらのデータ列の奇数番目のデータを符号化したものが６０／Ｐサブビットストリーム（メイン画像）、偶数番目のデータを符号化したものが１２０／Ｐサブセットとすると、符号化データを復号することで生成されたデータが「Ａ」「Ａ‘」「Ａ」「Ａ“」「Ｂ」「Ｂ」「Ｂ」「Ｂ」「Ｂ」「Ｂ」のように１２０／Ｐサブセットの部分が、元コンテンツをプルダウンした画像の内容から変わってしまう場合がある。
【００１１】
このため、復号することで生成されたデータの同一データの並び順からプルダウンの方式を判定する際に、１２０／Ｐサブセットを復号することで生成されたデータを含めて判定を行うと、誤判定となるリスクが高まる。ＵＨＤＴＶの表示画面に映像を最適に表示するために、例えば元コンテンツの周波数に応じて表示画面を制御する技術がある。しかし先の誤判定のリスクが高まることから、元コンテンツの周波数を特定することができない場合が発生し、その結果表示画面を適切に制御することができない、という問題が発生する。
【００１２】
そこで本発明は、デジタル伝送路の受信側であるＵＨＤＴＶにおいて、元コンテンツの周波数を判定する際に、誤判定となるリスクを低減する電子機器および放送信号の判定方法を提供することを目的とする。
【課題を解決するための手段】
【００１３】
階層符号化された符号化データを復号する復号部と、前記復号部により前記符号化データを第１の階層のストリームとして復号することで生成されたデータを、表示するタイミング順にならべ、その表示タイミングが隣接するデータが同一内容であることを判定する第１の判定部と、前記復号部により前記符号化データを復号することで生成されたデータのうち、前記階層符号化された符号化データを前記第１の階層よりも下位の第２の階層のストリームとして復号することで生成されたデータを、表示するタイミング順にならべ、その表示タイミングが隣接するデータが同一内容であることを判定する第２の判定部と、第１の判定部と第２の判定部により判定された結果をもとに、同一内容のデータの並び順から前記階層符号化される前のデータのプルダウンの方式を判定するパターン判定部と
を具備することを特徴とする。
【図面の簡単な説明】
【００１４】
【図１】実施形態に係る映像受信装置の一例を示す図である。
【図２】実施形態に係る時間方向階層符号化の一例を示す図である。
【図３】実施形態に係る判定部の一例を示す図である。
【図４】実施形態に係る判定部の一例を示す図である。
【図５】実施形態に係る判定部の一例を示す図である。
【図６】実施形態に係るデータのプルダウンの例である。
【図７】実施形態に係るデータのプルダウンの例である。
【図８】実施形態に係る判定部が判定処理を行う際の、判定対象のデータに関する図である。
【図９】実施形態に係る判定部の動作フローの一例を示す図である。
【図１０】実施形態に係る判定部が判定処理を行う際の、判定対象のデータに関する図である。
【図１１】実施形態に係る判定部の動作フローの一例を示す図である。
【図１２】実施形態に係るパターン判定部が同一データの並び順のパターンの判定を行う際の、処理対象のデータに関する図である。
【図１３】実施形態に係るパターン判定部の動作フローの一例を示す図である。
【図１４】実施形態に係る判定部が判定処理を行う際の、処理対象のデータに関する図である。
【発明を実施するための形態】
【００１５】
以下、図面を参照して、第１の実施形態について説明する。図１は、本発明の実施形態に係る映像受信装置として液晶テレビの構成の一例を示す。液晶テレビ１は、入力部（チューナ）１１、信号処理部（ＴＳ分離部と称してもよい）１２、映像処理ブロック２１、音声処理ブロック３１及び主制御ブロック５１、等を含む。また液晶テレビ１は、ＡＲＩＢ ＳＴＤ-Ｂ ３．３で規定されているＭａｉｎＰｒｏｆｉｌｅ１０、Ｌｅｖｅｌ５．２／６．２を満たしており、１２０／Ｐビットストリームを復号し、１２０Ｈｚの復号画像をディスプレイ２６に表示するものとする。
【００１６】
なお液晶テレビ１において、ディスプレイ２６は、別体であってもよい。すなわち、ディスプレイ２６は、液晶テレビ１と非接触で、液晶テレビ１が無線方式により送信する番組を、ディスプレイ２６が遠隔位置で表示するものであってもよい。なお、以下に説明する要素や構成は、処理装置すなわちマイクロコンピューター（ＣＰＵ（Ｃｅｎｔｒａｌ Ｐｒｏｃｅｓｓｉｎｇ Ｕｎｉｔ））によりソフトウェアで実現するものであってもよいしハードウェアで実現するものであってもよい。
【００１７】
アンテナ１０を介して入力部１１で受信した映像信号は、信号処理部１２に入力される。信号処理部１２は、外部入力信号からＴＳ（Ｔｒａｎｓｐｏｒｔ Ｓｔｒｅｍａ）すなわち映像信号（ビデオと称してもよい）及び音声信号（オーディオ）、ならびに制御情報に分離する。なお、制御情報は、例えばＴＳ（Ｔｒａｎｓｐｏｒｔ Ｓｔｒｅｍａ）の分配規則や内容、スケジュールあるいはタイミング、等を記述したＳＩ（Ｓｅｒｖｉｃｅ Ｉｎｆｏｒｍａｔｉｏｎ、番組配列情報）、等を含む。
【００１８】
映像信号は、映像処理ブロック２１の映像デコーダ２２で復号され、デジタル映像信号（ビデオ出力）として出力される。
【００１９】
映像処理ブロック２１及び音声処理ブロック３１には、それぞれ、ディスプレイ２６及びスピーカ３６が接続する。
【００２０】
映像処理ブロック２１は、映像デコーダ２２、判定部２３、映像処理部２４及、表示制御部２５及びスイッチＳＷ２（セレクタと称してもよい）、等を含む。
【００２１】
スイッチＳＷ２は、ディスプレイ２６に表示する映像信号に応じて切り替わる。チューナ１１で受信した映像信号をディスプレイ２６に表示する場合は、映像デコーダ２２からの出力が判定部２３に入力するようにスイッチＳＷ２が切り替わる。また、ＵＳＢ Ｉ／Ｆ６５あるいはＨＤＩＭ Ｉ／Ｆ６６等の外部入力Ｉ／Ｆを経由して入力された映像信号をディスプレイ２６に表示する場合は、外部入力Ｉ／Ｆからの映像信号が判定部２３に入力するようにスイッチＳＷ２が切り替わる。
【００２２】
音声処理ブロック３１は、音声デコーダ３２、映像処理部３３及びスイッチＳＷ１（セレクタと称してもよい）、等を含む。
【００２３】
スイッチＳＷ１は、スイッチＳＷ２と連動して制御され、スピーカ３６に出力する音声信号に応じて切り替わる。チューナ１１で受信した音声信号をスピーカ３６に出力する場合は、音声デコーダ３２からの出力が音声処理部３３に入力するようにスイッチＳＷ１が切り替わる。また、ＵＳＢ Ｉ／Ｆ６５あるいはＨＤＩＭ Ｉ／Ｆ６６等の外部入力Ｉ／Ｆを経由して入力された音声信号をスピーカ３６に出力する場合は、外部入力Ｉ／Ｆからの映像信号がオーディオ処理部３３に入力するようにスイッチＳＷ１が切り替わる。
【００２４】
判定部２３は、映像デコーダ２２或いは外部入力Ｉ／Ｆから送られてきた映像信号がプルダウンされたものかどうかの判定を行う。判定結果は、表示制御部２５に通知される。表示制御部２５は、通知された結果に基づきディスプレイ２６に最適に映像を表示するように、例えば表示する映像信号の周波数を再度変換したり、ディスプレイ２６の表示周波数を制御したりする。
【００２５】
映像処理部２４は、映像デコーダ２２がデコードしたデジタル映像信号をディスプレイ２６が表示可能な所定の解像度及び出力方式に変換する。表示制御部２５は、映像処理部２４が変換した映像信号を、ディスプレイ２６における好適な表示（映像再生）が可能な表示駆動信号に変換する。また、判定部２３より通知された判定結果に基づき、表示する映像信号の周波数を再度変換したり、ディスプレイ２６の表示周波数を制御したりする。
【００２６】
音声処理ブロック３１は、音声（オーディオと称してもよい）デコーダ３２、音声（オーディオと称してもよい）処理部３３、遅延部３４及びＤ−Ａ（Digital to Analog）コンバータ３５、等を含む。
【００２７】
音声処理部３３は、音声デコーダ３２がデコードした音声信号を、スピーカ３６による好適な再生が可能な所定の形式に変換する。Ｄ−Ａコンバータ３５は、音声処理部３３が変換した音声信号を、アナログ音声出力信号に変換する。これにより、Ｄ−Ａコンバータ３５にスピーカ３６を接続した場合に、スピーカ３６が可聴音（アナログ音声（オーディオ）出力）を出力する。なお、Ｄ−Ａコンバータ３５の出力は、例えばＡＶ（Audio Visual）アンプ等が接続可能な出力端３７に分岐してもよい。また、Ｄ−Ａコンバータ３５に入力する音声信号は、コンテンツの種類に対応して、遅延部３４による所定量（時間）の遅延が制御される。例えばコンテンツがゲームである場合、遅延部３４が規定する遅延（時間）の大きさ（長さ）は、放送信号（番組）を再生する場合に適用する遅延（時間）の大きさ（長さ）よりも小さい（短い）。
【００２８】
操作部６１は、ユーザーによる直接操作に対応する制御コマンドを主制御ブロック５１に入力する。
【００２９】
受信部６２は、リモコン端末（リモートコントローラ）７１による指示（操作入力）に対応するコマンドを主制御ブロック５１に入力する。
【００３０】
通信インターフェース６３は、例えばＷｉ−Ｆｉ（Ｗｉｒｅｌｅｓｓ Ｆｉｄｅｌｉｔｙ）規格等に準拠する近距離無線通信機器との間の無線通信を実現する。なお、近距離無線通信規格としては、例えばＢｌｕｅｔｏｏｔｈ（登録商標）規格やＮＦＣ（Ｎｅａｒ Ｆｉｅｌｄ Ｃｏｍｍｕｎｉｃａｔｉｏｎ））等も利用可能である。通信インターフェース６３は、有線方式／無線方式のいずれであってもよく、例えばワイヤレスキーボードやマウス等との間の信号の受け渡しが可能な通信ユニット、等が接続する。また、通信インターフェース６３は、例えばタブレット端末（スマートフォンや、携帯可能なＰＣ（パーソナルコンピュータ））との間の直接通信を行う。
【００３１】
ネットワーク制御部６４は、ネットワークＮＴＷへのアクセス、ネットワークＮＴＷ上のさまざまなサービス（ウェブページ）あるいはサーバーからの情報の取得、あるいは情報の取得のための入力情報の送信、等を制御する。これにより、ネットワーク上のサイトへアクセスやコンテンツ、等が可能である。
【００３２】
ＵＳＢインターフェース６５は、例えばＵＳＢ規格に対応する記憶装置（ＵＳＢＨＤＤ）、例えばＵＳＢ規格に準拠する外部装置、例えばキーボード、例えばＤＶＤドライブ等の利用を可能とする。
【００３３】
ＨＤＭＩ（登録商標）インターフェース（制御部）６６は、ＨＤＭＩ（Ｈｉｇｈ−ｄｅｆｉｎｉｔｉｏｎ Ｄｉｇｉｔａｌ Ｍｅｄｉａ Ｉｎｔｅｒｆａｃｅ）規格またはＭＨＬ（Ｍｏｂｉｌｅ Ｈｉｇｈ−ｄｅｆｉｎｉｔｉｏｎ Ｌｉｎｋ）規格を利用する機器相互間の有線通信を可能とする。なお、ＨＤＭＩインターフェース６６は、液晶テレビが受信する番組を録画するレコーダー機器との接続が可能である。これらの機器と接続することで、レコーダー機器が保持する録画番組を視聴することが可能となる。
【００３４】
記憶装置（ＨＤＤ（Ｈａｒｄ Ｄｉｓｋ Ｄｒｉｖｅ））６７は、ユーザーがチャンネル（あるいは番組名）と時間とを指定して、番組単位で録画する通常録画による録画番組の保存に利用される。
【００３５】
主制御ブロック５１は、上述の操作部６１、受信部６２、通信インターフェース６３、ネットワーク制御部６４、ＵＳＢインターフェース６５、ＨＤＭＩインターフェース６６、及び記憶装置６７、等と接続し、それぞれの動作を制御する。主制御ブロック５１は、例えばＣＰＵ（主処理回路）５２、ＲＯＭ（読出専用メモリ）５３、ＲＡＭ（ランダムアクセスメモリ（ワークメモリ））５４、等を含む。ＣＰＵ（主処理回路）５２は、ＲＡＭ５４が提供する作業エリアにおいて、ＲＯＭ５３が保持する制御プログラムに基づき、入力信号や制御信号に対応する処理を実行する。
【００３６】
次に、データの階層符号化について説明する。図２は、本実施形態における時間方向階層符号化された符号化データの例を示している。縦軸のＴｅｍｐｏｒａｌ ＩＤは階層符号化の階層を、横軸はデータの表示順序を、図中の四角はデータを、それぞれ符号化されたデータを表している。Ｎｏ０のデータ（Ｉ０）とＮｏ１６のデータ（Ｉ１６）は、原画像だけを元にして符号化されたデータ（Ｉピクチャ）である。この符号化されたＮｏ０のデータ（Ｉ０）とＮｏ１６（Ｉ１６）のデータは、階層０に属するものとする。Ｎｏ０とＮｏ１６の中間に位置するＮｏ８のデータ（Ｂ８）は、Ｎｏ０のデータ（Ｉ０）とＮｏ１６のデータ（Ｉ１６）を参照して符号化されたデータである。この符号化されたＮｏ８のデータ（Ｂ８）は、階層１に属するものとする。また、Ｎｏ０とＮｏ８の中間に位置するＮｏ４のデータ（Ｂ４）も、同様にＮｏ０のデータ（Ｉ０）とＮｏ８（Ｂ８）のデータを参照して符号化されたデータである。この符号化されたＮｏ４のデータ（Ｂ４）は、階層２に属するものとする。Ｎｏ８とＮｏ１６の中間であるＮｏ１２のデータ（Ｂ１２）も同様に、Ｎｏ８のデータ（Ｂ８）とＮｏ１６（Ｉ１６）のデータを参照して符号化されたデータである。この符号化されたＮｏ１２のデータ（Ｂ１２）は、階層２に属するものとする。
【００３７】
同様に階層３に属する、Ｎｏ２のデータ（Ｂ２）は、データ（Ｉ０）とデータ（Ｂ４）から生成され、Ｎｏ６のデータ（Ｂ６）は、データ（Ｂ４）とデータ（Ｂ８）から生成され、Ｎｏ１０のデータ（Ｂ１０）は、データ（Ｂ８）とデータ（Ｂ１２）から生成され、Ｎｏ１４のデータ（Ｂ１４）は、データ（Ｂ１２）とデータ（Ｉ１６）から生成される。
【００３８】
階層Ｍに属する、データ（Ｂ１）は、データ（Ｉ０）とデータ（Ｉ１６）から生成され、データ（Ｂ３）は、データ（Ｉ０）とデータ（Ｂ８）から生成され、データ（Ｂ５）は、データ（Ｂ４）とデータ（Ｂ８）から生成され、データ（Ｂ７）は、データ（Ｂ４）とデータ（Ｂ８）から生成される。またデータ（Ｂ９）は、データ（Ｂ８）とデータ（Ｉ１６）から生成され、データ（Ｂ１１）は、データ（Ｂ８）とデータ（Ｂ１２）から生成され、データ（Ｂ１３）は、データ（Ｂ１２）とデータ（Ｉ１６）から生成され、データ（Ｂ１５）は、データ（Ｂ１４）とデータ（Ｉ１６）から生成される。
【００３９】
上記のように、ある階層に属する符号化されたデータは、それより下位に属する符号化されたデータを用いて符号化することで、階層符号化することができる。なお、図２に示すように、４階層の階層符号化データに限らず２階層の階層符号化データでもよいし、それ以上の階層符号化データでもよい。
【００４０】
本実施形態における時間方向階層符号化された１２０／Ｐビットストリームは、図２に示すＴｅｍｐｏｒａｌ ＩＤ＝０から３までの符号化データである６０／Ｐサブビットストリームと、Ｔｅｍｐｏｒａｌ ＩＤ＝Ｍの符号化データである１２０Ｐ／サブセットから構成されている。図に示す通り、６０／Ｐサブビットストリームと１２０／Ｐサブセットの時間軸方向の並び順は、６０／Ｐサブビットストリームのデータと１２０／Ｐサブセットのデータが１／１２０秒間隔で並んでいる。また、６０／Ｐサブビットストリーム（Ｔｅｍｐｏｒａｌ ＩＤ＝０から３までの符号化データ）はＩピクチャを含むものとし、１２０Ｐ／サブセット（Ｔｅｍｐｏｒａｌ ＩＤ＝Ｍの符号化データ）はＩピクチャを含まないものとする。
【００４１】
次に時間方向階層符号化された符号化データの復号について説明する。図２のような階層符号化された符号化データを復号する場合、どの階層以下の符号化データを復号の対象とするかを指定することで、指定された階層までの符号化されたデータを使った復号が可能となる。本実施形態においては、Ｔｅｍｐｏｒａｌ ＩＤが０から３までの階層符号化データを復号することで、６０ｆｐｓのデータを生成することができる。またすべての階層符号化データ（Ｔｅｍｐｏｒａｌ ＩＤ＝０からＭまでの符号化データ）を復号することで、１２０ｆｐｓのデータを生成することができる。
【００４２】
図３は、判定部２３の構成を示したものである。判定部２３は、複数の遅延処理部と、第１の判定部２０４−１と、第２の判定部２０４−２と、パターン判定部２０５とからなる。第１の判定部２０４−１は、２つの入力データが同一内容であるかどうかの判定する判定処理を実施する。第２の判定部２０４−２もまた、２つの入力データが同一内容であることを判定する判定処理を実施する。ただし第２の判定部２０４−２は、すべての入力データに対して判定処理を実施するのではなく、映像（ビデオ）デコーダ２２によって制御されたタイミングにおいて入力されているデータに対して判定処理を実施する。
【００４３】
スイッチＳＷ２の出力を遅延する遅延処理部２０１−１、２０１−２及び第１の判定部２０４−１の出力を遅延する遅延処理部２０３−１、２０３−２、２０３−３、２０３−４、２０３−５、２０３−６、２０３−７、２０３−８、２０３−９は、１／１２０秒の遅延処理を実施する遅延処理部である。また第２の判定部２０４−２の出力を遅延する遅延処理部２０２−１、２０２−２、２０２−３、２０２−４は、１／６０秒の遅延処理を実施する遅延処理部である。パターン判定部２０５は、第１の判定部２０４−１と第２の判定部２０４−２によって判定された２つの入力データの判定結果に基づき、複数のデータにおける同一内容のデータの並び順のパターンを判定する。
【００４４】
次に判定部２３の判定処理について説明する。映像（ビデオ）デコーダ２２が出力した復号後のデータは、切り替えスイッチＳＷ２を経由して、映像（ビデオ）処理部２４に送られるともに、判定部２３に送られる。判定部２３に送られたデータは、遅延処理部２０１−１と第１の判定部２０４−１と第２の判定部２０４−２に入力される。
【００４５】
なお、先にも述べたようにスイッチＳＷ２のもう一方の入力は、ＵＳＢ  Ｉ／Ｆ６５等を介して、液晶テレビ装置１と接続されている外部機器からの入力である。主制御ブロック５１は、スイッチＳＷ２の入力を切り替えることで、映像（ビデオ）デコーダ２２からの入力データとＵＳＢ  Ｉ／Ｆ６５等からの入力を切り替えることができる。このようにして、液晶テレビ装置１と接続されている外部機器からの入力も、判定部２３に入力することができる。
【００４６】
第１の判定部２０４−１は、映像（ビデオ）デコーダ２２の出力データと遅延処理部２０１−１の出力データの２つを入力データとする。第１の判定部２０４−１は、表示タイミングが１／１２０秒の差がある２つの入力データが同一内容のデータであるかどうかの判定を、データが入力されるごとに実施する。このようにすることで、１２０／Ｐビットストリームを復号することで生成されたデータに対して、その隣接するデータが同一内容あることの判定処理を実施することができる。
【００４７】
第２の判定部２０４−２は、映像（ビデオ）デコーダ２２の出力データと、遅延処理部２０１−１から出力されデータが遅延処理部２０１−２において更に遅延処理が行われた出力データの２つを入力データとする。第２の判定部２０４−２は、１／６０秒の表示タイミングの差がある２つの入力データが同一内容のデータであるかどうかの判定を行うが、データが入力されるごとに判定処理を実施するのではなく、映像（ビデオ）デコーダ２２からの「判定開始」通知が通知されるタイミングにおいて入力されている入力データに対して判定処理を実施する。
【００４８】
具体的にはあるタイミングで映像（ビデオ）デコーダ２２と遅延処理部２０１−２からデータが入力されたとしても、映像（ビデオ）デコーダ２２から「判定開始」通知を受信しないと、第２の判定部２０４−２は判定処理を実行しない。次の１／１２０秒の経過後に、映像（ビデオ）デコーダ２２と遅延処理部２０１−２から新たなデータが入力されたときに、映像（ビデオ）デコーダ２２からの「判定開始」通知を受信した場合は、第２の判定部２０４−２は入力された２つのデータが同一内容のデータであるかどうかの判定を実行する。
【００４９】
映像（ビデオ）デコーダ２２が第２の判定部２０４−２に通知する「判定開始」通知は、次のような処理により実行される。映像（ビデオ）デコーダ２２は、時間方向階層符号化された符号化データを復号することで生成されたデータが、６０／Ｐサブビットストリーム（Ｔｅｍｐｏｒａｌ ＩＤ＝０から３までの符号化データ）を復号することで生成されたデータなのか、１２０Ｐ／サブセット（Ｔｅｍｐｏｒａｌ ＩＤ＝Ｍの符号化データ）を復号することで生成されたデータなのか、を認識することができる。したがって映像（ビデオ）デコーダ２２は、このＴｅｍｐｏｒａｌ ＩＤが０から３までの時間方向階層符号化された符号化データを復号することで生成されたデータを第２の判定部２０４−２に送出するタイミングで、第２の判定部２０４−２に対して「判定開始」通知を行う。つまり第２の判定部２０４−２は、例えば図２のデータ「Ｂ２」「Ｂ４」「Ｂ６」「Ｂ８」「Ｂ１０」「Ｂ１２」「Ｂ１４」を判定対象としている。
【００５０】
このように第２の判定部２０４−２は、映像（ビデオ）デコーダ２２から通知される「判定開始」通知のタイミングに従って判定処理を実施することで、６０／Ｐサブビットストリーム（Ｔｅｍｐｏｒａｌ ＩＤ＝０から３までの符号化データ）を復号することで生成された１／６０秒間隔のデータに対して、その隣接するデータが同一内容のデータであるこのとの判定処理を実行することができる。
【００５１】
第１の判定部２０４−１は、判定処理を完了させると、映像（ビデオ）デコーダ２２から入力されたデータと判定処理の判定結果情報を、遅延処理部２０３−１に送る。判定結果情報は、判定を行った２つの入力データの内容が「同一内容である」「同一内容でない」の２つの情報からなる。
【００５２】
遅延処理部２０３−１は、入力されたデータを、次の１／１２０秒後のデータが入力されるまで保持する。遅延処理部２０３−１は、次のデータが入力されると、保持しているデータを遅延処理部２０３−２に送るとともに、新たに入力されたデータを保持する。このように、遅延処理部２０３−１から２０３−９は、第１の判定部２０４−１から遅延処理部２０３−１にデータが入力されるタイミングで、保持しているデータを隣の遅延処理部に送るともに、新たに送られてきたデータを保持する。
【００５３】
これら遅延処理部２０３−１から２０３−９に保持されているデータに付加されている判定結果情報は、パターン判定部２０５に入力され、同一内容のデータの並び順のパターンが判定される。例えば連続する５つのデータにおいて、第１の判定部２０４−１による判定結果が、１番目のデータと２番目のデータが同一内容であり、２番目のデータと３番目のデータが同一内容であり、３番目のデータと４番目のデータが同一内容でなく、４番目のデータと５番目のデータが同一内容でない、であるとする。この場合パターン判定部２０５は、この連続する５つのデータを、１番目から３番目までのデータが同一内容であり、４番目、５番目のデータはそれぞれ異なるデータである、という同一内容のデータの並び順として判定する。
【００５４】
このようにパターン判定部２０５は、遅延処理部２０３−１から２０３−９に保持されているデータに付加された判定結果情報を受信することで、同一内容のデータの並び順のパターンを判定することができる。
【００５５】
同様に第２の判定部２０４−２は、判定処理を完了させると、映像（ビデオ）デコーダ２２から入力されたデータと判定処理の判定結果情報を、遅延処理部２０２−１に送る。遅延処理部２０２−１は、入力されたデータを、次の１／６０秒後のデータが入力されるまで保持する。遅延処理部２０２−１は、次のデータが入力されると、保持しているデータを遅延処理部２０２−２に送るとともに、新たに入力されたデータを保持する。このように、遅延処理部２０２−１から２０２−４は、第２の判定部２０４−２から遅延処理部２０２−１にデータが入力されるタイミングで、保持しているデータを隣の遅延処理部に送るともに、新たに送られてきたデータを保持する。
【００５６】
これら遅延処理部２０２−１から２０２−４に保持されているデータに付加されている判定結果情報は、パターン判定部２０５に入力され、同一内容のデータの並び順のパターンを判定する。例えば連続する４つのデータにおいて、第２の判定部２０４−２による判定結果情報が、１番目のデータと２番目のデータが「同一内容である」、２番目のデータと３番目のデータが「同一内容である」、３番目のデータと４番目のデータが「同一内容でない」、とする。この場合パターン判定部２０５は、この連続する４つのデータを、１番目から３番目までのデータは同一内容であり、４番目のデータは異なる内容である、という同一内容のデータの並び順のパターンとして判定する。
【００５７】
このようにパターン判定部２０５は、遅延処理部２０２−１から２０２−４に保持されているデータに付加された判定結果情報を受信することで、同一内容のデータの並び順のパターンを判定することができる。
【００５８】
パターン判定部２０５は、第１の判定部２０４−１の判定結果情報を用いて隣接するデータの内容が同一かどうかの判定の実施と、第２の判定部２０４−２の判定結果情報を用いて同一内容のデータの並び順のパターンの判定の実施の２つの判定を実施する。パターン判定部２０５がそれぞれの判定結果情報を用いる順序は、最初に第２の判定部２０４−２の判定結果を用いて同一内容のデータの並び順のパターンを判定し、次に第１の判定部２０４−１の判定結果を用いて隣接するデータの内容が同一内容かどうかの判定を行うことが望ましい。
【００５９】
これは、先に述べたように１２０／Ｐサブセット（補間ピクチャ）を復号することで生成されたデータを含めて判定を行うと、誤判定となるリスクが高くなるため、判定の対象のとなるデータには、極力１２０／Ｐサブセット（補間ピクチャ）を復号することで生成されたデータを含まない方がよいからである。ただしパターン判定部２０５が第１の判定部の判定結果と第２の判定部の判定結果を用いる順序は、これに限るものではなく、任意に決めてよい。また誤判定の状況に応じて、判定結果情報を用いる順序は適宜変更してもよい。
【００６０】
例えば、先に第１の判定部２０４−１の判定結果を用いて隣接するデータの内容が同一内容かどうかの判定を行い隣接するデータの内容が同一でないことが判明した場合に、第２の判定部２０４−２の判定結果を用いて同一内容のデータの並び順のパターンを判定する、という方法でもよい。
【００６１】
パターン判定部２０５は、判定した同一内容のデータの並び順のパターンを表示制御部２５に通知する。表示制御部２５は、受け取った同一内容のデータの並び順のパターンの情報を用いて、例えばディスプレイ２６のリフレッシュレートを最適に制御したり、ディスプレイ２６のバックライトを最適に制御したりして、より鮮明な映像の表示を可能とする。
【００６２】
図４及び図５は、映像（ビデオ）デコーダおよび判定部の構成が図３の場合と異なる第２の実施形態及び第３の実施形態の一例である。図３に示した実施形態との大きな違いは、映像（ビデオ）デコーダ２２の代わりに６０／Ｐサブビットストリーム（Ｔｅｍｐｏｒａｌ ＩＤ＝０から３までの符号化データ）のデコーダと、１２０Ｐ／サブセット （Ｔｅｍｐｏｒａｌ ＩＤ＝Ｍの符号化データ）のデコーダであるデコード能力が異なる２つのデコーダにした点である。もう１点は、デコーダを２つにしたことにより、図３に示す第３の判定部２０４−５が、第２の判定部２０４−２と異なる点である。
【００６３】
メイン画像デコーダ２２−２１が６０／Ｐサブビットストリーム（メイン画像）を復号することで生成されるデータと補間ピクチャデコーダ２２−２３が１２０Ｐ／サブセット （補間ピクチャ）を復号することで生成されるデータが分離されているため、第３の判定部２０４−５は、図３に示す第２の判定部２０４−２のように入力されたデータに対して判定処理を実行するしないを制御する必要がなく、全ての入力データに対して判定処理を実行すればよい。
【００６４】
図４に、第２の実施形態として映像（ビデオ）デコーダ２２−２および判定部２３−２を示す。映像（ビデオ）デコーダ２２−２は、６０／Ｐサブビットストリーム（メイン画像）を復号するメイン画像デコーダ２２−２１と１２０Ｐ／サブセット （補間ピクチャ）を復号する補間ピクチャデコーダ２２−２３を持つ。また、メイン画像デコーダ２２−２１および補間ピクチャデコーダ２２−２３が、６０／Ｐサブビットストリーム（メイン画像）および１２０Ｐ／サブセット （補間ピクチャ）を復号する際に必要となるデータの一時保管場所として、参照フレームメモリ２２−２２を持つ。
【００６５】
次に判定部２３−２の判定処理について説明する。スイッチＳＷ２の出力を遅延する遅延処理部２０６−１及び補間ピクチャデコーダ２２−２３の出力を遅延する遅延処理部２０６−２は、１／６０秒の遅延処理を実施する遅延処理部である。メイン画像デコーダ２２−２１は、６０／Ｐサブビットストリーム（メイン画像）を復号することで生成されたデータを出力する。出力されたデータは、切り替えスイッチＳＷ２を経由して、映像（ビデオ）処理部２４に送られるともに、判定部２３−２に送られる。判定部２３−２に送られたデータは、遅延処理部２０６−１と第１−Ａの判定部２０４−３と第３の判定部２０４−５に入力される。
【００６６】
補間ピクチャデコーダ２２−２３は、１２０／Ｐサブセット（補間ピクチャ）を復号することで生成されたデータを出力する。出力したデータは、判定部２３−２に送られる。判定部２３−２に送られたデータは、遅延処理部２０６−２に入力される。遅延処理部２０６−２に入力されたデータは、遅延処理を行った後に第１−Ａの判定部２０４−３と第１−Ｂの判定部２０４−４に入力される。
【００６７】
遅延処理部２０６−２は、メイン画像デコーダ２２−２１が出力する復号後のデータと、補間ピクチャデコーダ２２−２３が出力する復号後のデータの順序性を確保するための遅延処理部である。図２に示したように、６０／Ｐサブビットストリーム（Ｔｅｍｐｏｒａｌ ＩＤ＝０から３までの符号化データ）のデコーダと１２０Ｐ／サブセット （Ｔｅｍｐｏｒａｌ ＩＤ＝Ｍの符号化データ）は、表示タイミングが１／１２０秒ずれている。したがって、これらの２つのストリームをメイン画像デコーダ２２−２１と補間ピクチャデコーダ２２−２３で復号することで生成されるデータの表示タイミングが１／１２０秒ずれている。
【００６８】
しかし実際には、映像（ビデオ）デコーダ２２−２の動作仕様によりメイン画像デコーダ２２−２１から出力される復号後のデータと補間ピクチャデコーダ２２−２３から出力される復号後のデータの出力の順序が逆転する場合もある。したがって映像（ビデオ）デコーダ２２−２の動作仕様に合わせて、遅延処理部２０６−２による遅延処理の有効無効を制御できるようにする。有効の設定の場合には遅延処理部２０６−２は、補間ピクチャデコーダ２２−２３が出力するデータに対して遅延処理を実施し、無効の設定の場合には補間ピクチャデコーダ２２−２３が出力するデータに対して遅延処理を実施しない。
【００６９】
なお、映像（ビデオ）デコーダ２２−２の動作仕様によっては、判定部に遅延処理部２０６−２が不要な場合もある。図５に第３の実施形態として、判定部に遅延処理部２０６−２が不要な場合を示す。判定部２３−３は、補間ピクチャデコーダ２３−２３の出力が、そのまま第１−Ａの判定部２０４−３の入力になっている例を示している。その他の構成は、図４に示す第２の実施形態の構成と同じである。
【００７０】
第１−Ａの判定部２０４−３は、メイン画像デコーダ２２−２１の出力データと遅延処理部２０６−２の出力データの２つを入力データとする。第１−Ｂの判定部２０４−４は、遅延処理部２０６−１の出力データと、遅延処理部２０６−２の出力データの２つを入力データとする。第１−Ａの判定部２０４−３と第１−Ｂの判定部２０４−４の２つの判定部を用いることで、６０／Ｐサブビットストリーム（メイン画像）を復号することで得られるデータと、１２０Ｐ／サブセット（補間ピクチャ）を復号することで得られるデータを合わせた１／１２０秒間隔のデータに対して、その隣接するデータが同一内容であるかどうかの判定処理を実施することができる。詳しくは、後ほど図１４を用いて説明する。
【００７１】
第３の判定部２０４−５は、映像（ビデオ）デコーダ２２が出力した復号後のデータと、遅延処理部２０６−１の出力データの２つを入力データとする。第３の判定部２０４−５は、これら１／６０秒の表示タイミングの差がある２つのデータが同一内容であるかどうかの判定を行う。このようにすることで、６０／Ｐサブビットストリーム（メイン画像）を復号することで得られる１／６０秒間隔のデータに対して、その隣接するデータが同一内容であるかどうかの判定処理を実施することができる。第３の判定部２０４−５は、図３に示す第２の判定部２０４−２の場合と異なり、入力されるデータすべてに対してその隣接するデータが同一内容であるかどうかの判定処理を実施する。
【００７２】
第１−Ａの判定部２０４−３は、判定処理を完了させるとメイン画像デコーダ２２−２１から入力されたデータと判定処理の判定結果情報とを、遅延処理部２０３−１に送る。また、第１−Ｂの判定部２０４−４は、判定処理を完了させると遅延処理部２０６−２から入力されたデータと判定処理の判定結果情報を、遅延処理部２０３−１に送る。なお、第１−Ａの判定部２０４−３および第１−Ｂの判定部２０４−４は、遅延処理部２０３−１に出力したデータがその表示タイミング順に並ぶように、遅延処理部２０３−１にデータを出力するタイミングを互いに調整する。
【００７３】
以降の遅延処理部２０３−１から２０３−９の処理は、図３に示した第１の実施形態の場合の処理と同様である。
【００７４】
同様に第３の判定部２０４−５は、判定処理を完了させると、遅延処理部２０６−１から入力されたデータと判定処理の判定結果情報を、遅延処理部２０２−１に送る。以降の遅延処理部２０２−１から２０２−４の処理は、図３に示した第１の実施形態の場合の処理と同様である。
【００７５】
次に、映画コンテンツやアニメコンテンツ等の２４Ｈｚのコンテンツが、時間方向階層符号化に対応した１２０／Ｐビットストリームとしてデジタル伝送路上送られる場合を例に、判定部における判定処理を具体的に説明する。図３で示した実施形態をもとに説明する。映画コンテンツやアニメコンテンツ等の２４Ｈｚのコンテンツは、１２０／Ｐビットストリームに対応するために、４６プルダウンによる周波数変換処理が行われているものとする
図６は、２４Ｈｚコンテンツを、４６プルダウンにより１２０Ｈｚに変換した例である。２４Ｈｚにおける「Ａ」のデータが、１２０Ｈｚにおいては４フレーム連続するように「Ａ」、「Ａ」、「Ａ」、「Ａ」と変換され、２４Ｈｚにおける次のデータである「Ｂ」のデータが１２０Ｈｚにおいては６フレーム連続するように「Ｂ」、「Ｂ」、「Ｂ」、「Ｂ」、「Ｂ」、「Ｂ」と変換される。プルダウンの方式はこれ以外にも、連続する２つのフレームをプルダウンにより５フレーム５フレームの同一データが連続するように変換する５５プルダウン等がある。
【００７６】
図７は、３０Ｈｚコンテンツを、４４プルダウンという方式で１２０Ｈｚに変換した例である。このように、本実施形態に係るプルダウンの対象とするコンテンツの周波数は、２４Ｈｚに限るものではなく、任意のものでよい。またプルダウンの方式も任意のものでよい。図３に示す本実施形態においては、２４Ｈｚコンテンツを４６プルダウンで１２０Ｈｚに変換した場合を例に説明する。
【００７７】
プルダウン後のデータは、時間方向階層符号化され１２０／Ｐビットストリームとして液晶テレビ１に送られてくる。送られてきたストリームは映像（ビデオ）デコーダ２２で復号された後、表示タイミング順に並べたときに、隣接するデータが同一内容であるかどうか、第１の判定部２０４−１により判定する。
【００７８】
図８は、図３に示す第１の判定部２０４−１が判定処理を行う際の、判定対象のデータに関して示したものである。第１の判定部２０４−１は、映像（ビデオ）デコーダ２２の出力データを第１の入力データとし、遅延処理部２０１−１の出力データを第２の入力データとする、２つの入力データを持つ。第１の判定部２０４−１は、判定処理が完了すると、映像（ビデオ）デコーダ２２から入力されたデータと判定処理の判定結果情報を、遅延処理部２０３−１に出力する。
【００７９】
図８（Ａ）は、第１の入力データである、映像（ビデオ）デコーダ２２の出力データを、表示タイミング順に並べた場合の一例を示している。
【００８０】
図８（Ｂ）は、第２の入力データである、遅延処理部２０１−１の出力データを、表示タイミング順に並べた場合の一例を示している。図８（Ｂ）のデータは、図８（Ａ）のデータに対して１／１２０秒の遅延処理が行われているため、（Ｂ）のデータ列は（Ａ）のデータ列に対して、１／１２０秒分（１フレーム分）時間軸方向にずれたデータの並び順となっている。
【００８１】
図８（Ｃ）は、（Ａ）のデータと（Ｂ）のデータを第１の判定部２０４−１に入力した場合の、第１の判定部２０４−１が遅延処理部２０３−１に出力するデータと判定処理の判定結果情報との一例を示している。１段目が出力データを、２段目が判定結果情報を示している。２段目に示した判定結果情報は、「０」が第１の入力データと第２の入力データが「同一内容でない」ことを示し、「１」が第１の入力データと第２の入力データが「同一内容である」ことを示している。
【００８２】
例えば時刻ｔ１において、第１の判定部２０４−１に入力されたデータは、図８（Ａ）のＮｏ２のデータ＝「Ａ」と図８（Ｂ）のＮｏ１のデータ＝「Ｚ」である。この入力に対し第１の判定部２０４−１は、判定処理の判定結果情報＝「同一内容でない」（＝０）、出力データ＝「Ａ」を遅延処理部２０３−１に出力する。図８（Ｃ）のＮｏ２のデータは、この時刻ｔ１における、第１の判定部２０４−１が遅延処理部２０３−１に出力した出力データと判定結果情報を示している。
【００８３】
図９は、図３に示す第１の判定部２０４−１の動作フローを示している。図８（Ａ）から（Ｃ）のデータを用いて、第１の判定部２０４−１の動作フローを説明する。第１の判定部２０４−１は、判定処理を行うために、映像（ビデオ）デコーダ２２からの入力を第１の入力データ、遅延処理部２０１−１からの入力を第２の入力データとして処理する。
【００８４】
第１の判定部２０４−１に、時刻ｔ１における図８（Ａ）のＮｏ２のデータ＝Ａと図８（Ｂ）のＮｏ１のデータ＝Ｚが入力されたとする。この場合、第１の入力データには「Ａ」が設定される（Ｓ１）。また、第２の入力データには「Ｚ」が設定される（Ｓ２）。第１の判定部２０４−１は、第１の入力データと第２の入力データが同一内容であるかどうかの判定を行う（Ｓ３）。入力されたデータが、第１の入力データ＝「Ａ」、第２の入力データ＝「Ｚ」であるため、判定結果は「同一内容でない」となり、判定結果情報＝「０」を設定する（Ｓ５）。第１の判定部２０４−１は、遅延処理部２０３−１に出力するデータとして第１の入力データ＝「Ａ」を設定し（Ｓ６）、判定結果情報＝「０」（＝同一内容でない）と合わせて、遅延処理部２０３−１に出力する（Ｓ７）。
【００８５】
更に第１の判定部２０４−１に、時刻ｔ２における図８（Ａ）のＮｏ３のデータ＝「Ａ」と図８（Ｂ）のＮｏ２のデータ＝「Ａ」が入力されたとする。この場合、第１の入力データには「Ａ」が設定される（Ｓ１）。また、第２の入力データには「Ａ」が設定される（Ｓ２）。第１の判定部２０４−１は、第１の入力データと第２の入力データが同一内容であるかどうかの判定を行う（Ｓ３）。入力されたデータが、第１の入力データ＝Ａ、第２の入力データ＝Ａであるため、判定結果は「同一内容である」となり、判定結果情報＝「１」を設定する（Ｓ４）。第１の判定部２０４−１は、遅延処理部２０３−１に出力するデータとして第１の入力データ＝「Ａ」を設定し（Ｓ６）、判定結果情報＝「１」（同一内容である）と合わせて、遅延処理部２０３−１（Ｓ７）に出力する。
【００８６】
このように第１の判定部２０４−１は、遅延処理部２０３−１に出力するデータが、表示タイミング順にならべた場合の１つ前のデータと同じであることを判定し、１つ前のデータと「同一内容である」場合は「１」を、「同一内容でない」場合は「０」を判定結果情報として遅延処理部２０３−１に出力する。この判定結果情報が入力されたパターン判定部２０５は、この判定結果情報を用いて同一内容のデータの並び順の判定を行う。
【００８７】
図１０は、図３に示す第２の判定部２０４−２が判定処理を行う際の、判定対象のデータに関して示したものである。第２の判定部２０４−２は、映像（ビデオ）デコーダ２２の出力データを第１の入力データとし、遅延処理部２０１−２の出力データを第２の入力データとする、２つの入力データを持つ。第１の判定部２０４−２は、判定処理が完了すると、映像（ビデオ）デコーダ２２から入力されたデータと判定処理の判定結果情報を、遅延処理部２０２−１に出力する。
【００８８】
図１０（Ａ）は、第１の入力データである、映像（ビデオ）デコーダ２２の出力データを、表示タイミング順に並べた場合の一例を示している。
【００８９】
図１０（Ｂ）は、第２の入力データである、遅延処理部２０１−２の出力データを、表示タイミング順に並べた場合の一例を示している。図１０（Ｂ）のデータは、図１０（Ａ）のデータに対して１／１２０秒の２倍（１／６０秒）の遅延処理が行われているため、（Ｂ）のデータ列は（Ａ）のデータ列に対して、１／６０秒分（２フレーム分）時間軸方向にずれたデータの並び順となっている。
【００９０】
図１０（Ｃ）は、映像（ビデオ）デコーダ２２から通知される「判定開始」通知の通知タイミングの一例である。上向き矢印「↑」が「判定開始」通知が通知されたタイミングを示している。第２の判定部２０４−２は、この「判定開始」通知の受信状態を管理する「通知状態」を内部で管理している。この「通知状態」は、第２の判定部２０４−２が「判定開始」通知を受信すると「受信済み」の状態に遷移し、判定処理が完了し遅延処理部２０２−１に出力すると「受信未」の状態に遷移する。第２の判定部２０４−２は、第１の入力データと第２の入力データの判定を行う際にこの「通知状態」を参照し、「通知済み」の状態の場合は、入力されている第１の入力データと第２の入力データの判定処理を行う。「未受信」の状態の場合は、入力されているデータがあっても判定処理を行わない。
【００９１】
図１０（Ｄ）は、（Ａ）のデータと（Ｂ）のデータを第２の判定部２０４−２に入力した場合に、（Ｃ）の「判定開始」通知の通知タイミングに合わせて第２の判定部２０４−２が遅延処理部２０２−１に出力するデータと判定処理の判定結果情報との一例を示している。１段目が、出力データを、２段目が判定結果情報を示している。２段目に示した判定結果は、「０」が第１の入力データと第２の入力データが「同一内容でない」ことを示し、「１」が第１の入力データと第２の入力データが「同一内容である」ことを示している。
【００９２】
例えば、時刻ｔ１において、第２の判定部２０４−２に入力されたデータは、図１０（Ａ）のＮｏ３のデータ＝「Ａ」と図１０（Ｂ）のＮｏ１のデータ＝「Ｚ」である。この入力に対し第２の判定部２０４−２は、判定処理の判定結果情報＝「同一でない」（＝０）、出力データ＝「Ａ」を遅延処理部２０２−１に出力する。図１０（Ｄ）のＮｏ３のデータは、この時刻ｔ１における、第２の判定部２０４−２が遅延処理部２０２−１に出力した出力データと判定結果情報を示している。
【００９３】
図１０（Ｄ）において１段目と２段目が空欄の部分は、第２の判定部２０４−２が、第１の入力データと第２の入力データにデータが入力されていても判定処理を実行せず、データと判定結果情報とを遅延処理部２０２−１に出力しなかった場合を示している。例えば時刻ｔ２において、第２の判定部２０４−２に入力されたデータは、図１０（Ａ）のＮｏ４のデータ＝「Ａ」と図１０（Ｂ）のＮｏ２のデータ＝「Ａ」である。しかし時刻ｔ２において、図１０（Ｃ）の「判定開始」通知が通知されていないため、第２の判定部２０４−２が内部で管理する「通知状態」は「未受信」の状態のままである。このため第２の判定部２０４−２は、入力データが存在していても判定処理を実行しない。その結果判定部２０４−２は、遅延処理部２０２−１にデータと判定結果情報を出力せず、図１０（Ｄ）のＮｏ４のように空欄の状態となる。
【００９４】
図１１は、図３に示す第２の判定部２０４−２の動作フローを示している。図１０（Ａ）から（Ｃ）のデータを用いて、第２の判定部２０４−２の処理フローを説明する。第２の判定部２０４−２は、判定処理を行うために、映像（ビデオ）デコーダ２２からの入力を第１の入力データとして、遅延処理部２０１−２からの入力を第２の入力データとして処理する。
【００９５】
第２の判定部２０４−２に、時刻ｔ１における図１０（Ａ）のＮｏ３のデータ＝「Ａ」、と図１０（Ｂ）のＮｏ１のデータ＝「Ｚ」が入力されたとする。この場合、第１の入力データには「Ａ」が設定される（Ｓ１１）。また、第２の入力データには「Ｚ」が設定される（Ｓ１２）。第２の判定部２０４−２は、映像（ビデオ）デコーダ２２から通知される「判定開始」通知の受信状態を示す「通知状態」の確認を行う（Ｓ１３）。「通知状態」が「受信済み」であるので、第２の判定部２０４−２は、第１の入力データと第２の入力データが同一内容であるかどうかの判定を行う（Ｓ１４）。入力されたデータが、第１の入力データ＝「Ａ」、第２の入力データ＝「Ｚ」であるため、比較の判定結果は「同一内容でない」となり、判定結果情報＝「０」を設定する（Ｓ１６）。第２の判定部２０４−２は、遅延処理部２０２−１に出力するデータとして第１の入力データ＝「Ａ」を設定し（Ｓ１７）、判定結果情報である「０」（＝同一内容でない）と合わせて、遅延処理部２０２−１に出力する（Ｓ１８）。第２の判定部２０４−２は、遅延処理部２０２−１に出力後、内部で持つ「通知状態」を「未受信」に遷移させる（Ｓ１９）。
【００９６】
同様に、第２の判定部２０４−２に、時刻ｔ２における図１０（Ａ）のＮｏ４のデータ＝Ａ、と図１０（Ｂ）のＮｏ２のデータ＝Ａが入力されたとする。この場合、第１の入力データには「Ａ」が設定される（Ｓ１１）。また、第２の入力データには「Ａ」が設定される（Ｓ１２）。第２の判定部２０４−２は、映像（ビデオ）デコーダ２２から通知される「判定開始」通知の受信状態である「通知状態」の確認を行う（Ｓ１３）。図１０（Ｃ）に示すように、このタイミングでは映像（ビデオ）デコーダ２２から「判定開始」通知が通知されていない。したがって第２の判定部２０４−２は、内部で持つ「通知状態」を「受信未」のままとし、第２の判定部２０４−２は判定処理を行わずに、処理を終了させるとともに、遅延処理部２０２−１には何も出力しない。
【００９７】
次に図３に示すパターン判定部２０５の処理の流れを説明する。パターン判定部２０５は、遅延処理部２０２−１から２０２−４の各出力データ、および２０３−１から２０３−９の各出力データを入力データとする。遅延処理部２０２−１から２０２−４には、６０／Ｐサブビットストリーム（メイン画像）を復号することで生成されたデータと、その隣接するデータとの２つのデータが同一内容であるかどうかを第２の判定部２０４−２が判定した判定結果情報が保持されている。一方遅延処理部２０３−１から２０３−９には、１２０／Ｐビットストリーム（メイン画像と補間ピクチャを合わせたもの）を復号することで生成された１／１２０秒間隔のデータと、その隣接するデータが同一内容であるかどうかの判定結果情報が保持されている。
【００９８】
図１２は、図３に示すパターン判定部２０５がパターン判定処理を行う際の、判定対象のデータに関して示したものである。なお、図１２（Ａ）に示すデータは図１０（Ｄ）と同一のデータであり、図１２（Ｄ）に示すデータは図８（Ｃ）と同一のデータである。つまり、第１の判定部２０４−１および第２の判定部２０４−２の出力は、遅延処理部２０２−１から遅延処理部２０２−４および遅延処理部２０３−１から遅延処理部２０３−９を通じてパターン判定部２０５に入力されるデータである。このため図８のデータ及び図１０のデータ及び図１２のデータは、それぞれ同期がとれているものとして以降説明する。
【００９９】
図１２（Ａ）は、第２の判定部２０４−２が判定を行う際の判定対象のデータとして図１０（Ａ）から（Ｃ）に示したデータを使用する場合の、遅延処理部２０２−１に出力するデータと判定結果情報との一例を示している。図１２（Ａ）のデータは、図１０（Ｄ）と同一である。
【０１００】
図１２（Ｂ）は、遅延処理部２０２−１が第２の判定部２０４−２から入力されるデータを保持している状態を、時間順に並べた場合の一例を示している。第２の判定部２０４−２は、先に説明したように入力されたデータに対して「通知状態」を参照して判定処理を行う。このため、遅延処理部２０２−１がデータを保持する長さは、図１２（Ｂ）に示すように、図１２（Ａ）に示す第２の判定部２０４−２が出力するデータの表示の長さの倍になっている。
【０１０１】
図１２（Ｃ）は、図１２（Ｂ）に示した遅延処理部２０２−１が保持するデータを表示するタイミング順に並べた場合において、遅延処理部２０２−１がＮｏ９のデータを保持している時の遅延処理部２０２−２から遅延処理部２０２−４が保持しているデータを示したものである。遅延処理部２０２−１から２０２−４は点線四角で囲まれた部分のデータを保持しており、遅延処理部２０２−１はＮｏ９のデータを、遅延処理部２０２−２はＮｏ７のデータを、遅延処理部２０２−３はＮｏ５のデータを、遅延処理部２０２−４はＮｏ３のデータを各々保持している。
【０１０２】
図１２（Ｄ）は、図８（Ｃ）に示した第１の判定部２０４−１の出力データを表示タイミング順に並べた場合において、遅延処理部２０３−１がＮｏ１１のデータを保持している時の遅延処理部２０３−２から遅延処理部２０３−９が保持しているデータを示したものである。遅延処理部２０３−１から２０３−９は点線四角で囲まれた部分のデータを保持しており、遅延処理部２０３−１はＮｏ１１のデータを、遅延処理部２０３−２はＮｏ１０のデータを、遅延処理部２０３−３はＮｏ９のデータを、遅延処理部２０３−４はＮｏ８のデータを、遅延処理部２０３−５はＮｏ７のデータを、遅延処理部２０３−６はＮｏ６のデータを、遅延処理部２０３−７はＮｏ５のデータ、遅延処理部２０３−８はＮｏ４のデータ、遅延処理部２０３−９はＮｏ３のデータ保持している。
【０１０３】
図１２（Ｅ）は、（Ｃ）に対して１／６０秒経過後の、遅延処理部２０２−１から２０２−４が保持しているデータの例を示している。点線四角で囲んだ部分が、遅延処理部２０２−１から２０２−４が保持しているデータである。遅延処理部２０２−１はＮｏ１１のデータを、遅延処理部２０２−２はＮｏ９のデータを、遅延処理部２０２−３はＮｏ７のデータを、遅延処理部２０２−４はＮｏ５のデータを保持している。（Ｅ）に示す遅延処理部２０２−１から遅延処理部２０２−４が保持しているデータは、（Ｃ）に対して時間軸方向に１／６０ｍｓずれている。
【０１０４】
図１２（Ｆ）は、（Ｄ）に対して１／６０秒経過後の、遅延処理部２０３−１から２０３−９が保持しているデータの例を示している。点線四角で囲んだ部分が、遅延処理部２０３−１から２０３−９が保持しているデータである。遅延処理部２０３−１はＮｏ１３のデータを、遅延処理部２０３−２はＮｏ１２のデータを、遅延処理部２０３−３はＮｏ１１のデータを、遅延処理部２０３−４はＮｏ１０のデータを、遅延処理部２０３−５はＮｏ９のデータを、遅延処理部２０３−６はＮｏ８のデータを、遅延処理部２０３−７はＮｏ７のデータ、遅延処理部２０３−８はＮｏ６のデータ、遅延処理部２０３−９はＮｏ５のデータ保持しているものとする。（Ｆ）に示す遅延処理部２０３−１から遅延処理部２０３−９が保持しているデータは、（Ｄ）に対して時間軸方向に１／６０ｍｓずれている。
【０１０５】
図１３は、パターン判定部２０５の動作フローについて示したものである。なお、パターン判定部２０５が判定するデータの並び順を、４６プルダウンのデータの並び順として説明する。つまり、判定するデータの並び順は、「Ａ」→「Ａ」→「Ａ」→「Ａ」→「Ｂ」→「Ｂ」→「Ｂ」→「Ｂ」→「Ｂ」→「Ｂ」という、同一内容のデータが４回連続し、次にまた同一内容のデータが６回連続する、というデータの並び順である。
【０１０６】
パターン判定部２０５が行う判定処理は、２段階で行う。１段階目の判定処理は、遅延処理部２０２−１から２０２−４が保持しているデータおよび判定結果情報を利用してパターン判定を行う。２段階目の判定処理は、遅延処理部２０３−１から２０３−９が保持しているデータおよび判定結果情報を利用して、データごとの判定を行う。
【０１０７】
１段階目の判定処理は、６０／Ｐサブビットストリーム（メイン画像）が復号されたデータが判定の対象であるため、１／６０秒間隔のデータに対する判定であり、２フレーム間隔のデータに対する荒い判定となる。２段階目の判定処理は、１段階目の判定結果を用いて、更に６０／Ｐサブビットストリーム（メイン画像）と１２０／Ｐサブセット（補間ピクチャ）が合成された１２０／ビットストリームを復号したデータに対して、データごとの判定を行い判定対象の「先頭データの検出」と「終了データの検出」を行う。
【０１０８】
１段階目の判定は、パターン判定部２０５が予め持つ判定用のデータの並び順のパターンと一致しているかの判定である。パターン判定部２０５は、４６プルダウンによるデータの並び順を判定するために、判定用のデータの並び順のパターンとして判定用パターン１と判定用パターン２の２種類の同一内容のデータの並び順のパターンを持つ。
【０１０９】
判定用パターン１は、図１２（Ｃ）に示すデータの並び順と同一である
・ 遅延処理部２０２−４に保持されているデータ（＝Ｎｏ３のデータ）と、その直前のデータ（＝Ｎｏ１のデータ）は同一でない
・ 遅延処理部２０２−４に保持されているデータ（＝Ｎｏ３のデータ）と、遅延処理部２０３−３に保持されているデータ（＝Ｎｏ５のデータ）は同一である
・ 遅延処理部２０２−３に保持されているデータ（＝Ｎｏ５のデータ）と、遅延処理部２０２−２に保持されているデータ（＝Ｎｏ７のデータ）は同一でない
・ 遅延処理部２０２−２に保持されているデータ（＝Ｎｏ７のデータ）と、遅延処理部２０２−１に保持されているデータ（＝の９のデータ）は同一である
というパターンである。つまり、「Ｘ」（ＸはＡ以外）「Ａ」「Ａ」「Ｂ」「Ｂ」というデータ列の並び順のパターンである。
【０１１０】
判定用パターン２は、図１２（Ｅ）に示すデータの並びと同一な、
・ 遅延処理部２０２−４に保持されているデータ（＝Ｎｏ５のデータ）と、直前のデータ（＝Ｎｏ３のデータ）は同一である
・ 遅延処理部２０２−４に保持されているデータ（＝Ｎｏ５のデータ）と、遅延処理部２０２−３（＝Ｎｏ７のデータ）に保持されているデータは同一でない
・ 遅延処理部２０２−３（＝Ｎｏ７のデータ）に保持されているデータと、遅延処理部２０２−２に保持されているデータ（Ｎｏ９のデータ）は同一である
・ 遅延処理部２０２−２に保持されているデータ（Ｎｏ９のデータ）と、遅延処理部２０２−１に保持されているデータ（Ｎｏ１１のデータ）は同一である
というパターンである。つまり、「Ａ」「Ｂ」「Ｂ」「Ｂ」「Ｙ」（ＹはＢ以外）というデータ列の並び順のパターンである。
【０１１１】
判定用パターン１による判定処理が実行された後、１／６０秒経過後に遅延処理部２０２−１に新たなデータが入力され、遅延処理部２０２−２から遅延処理部２０２−４が保持する各データが更新されると、パターン判定部２０５は、判定用パターン２による判定を行う。
【０１１２】
２段階目の判定処理は、１段階目の判定用パターン１を用いた判定処理の終了に引き続いて行われる「先頭データの検出」と、その１／６０ｍｓ後に行われる判定用パターン２を用いた判定処理の終了に引き続いて行われる「終了データの検出」の２つである。
【０１１３】
「先頭データの検出」の処理は、以下のように行われる。
【０１１４】
・ 判定用パターン１を用いた１段階目の判定の判定対象の４つのデータのうち、表示タイミングが一番早いデータ（遅延処理部２０２−４に保持されているデータ（＝図１２（Ｃ）のＮｏ３のデータ））と同一データである、遅延処理部２０３−９に保持されているデータ（＝図１２（Ｄ）のＮｏ３のデータ）と、その１つ前の表示タイミングのデータ（＝図１２（Ｄ）のＮｏ２のデータ）が、同一の内容かどうかを保持されている判定結果情報を用いて判定
また、「最終データの検出」の処理は、以下のように行われる。
【０１１５】
判定用パターン２を用いた１段階目の判定の判定対象の４つのデータのうち、表示タイミングが一番遅いデータ（遅延処理部２０２−１に保持されているデータ（＝図１２（Ｅ）のＮｏ１１のデータ））と同一のデータである、遅延処理部２０３−３に保持されているデータ（＝図１２（Ｆ）のＮｏ１１のデータ）と、その１つ後の表示タイミングのデータ（＝図１２（Ｆ）のＮｏ１２のデータ）が、同一の内容かどうかを保持されている判定結果情報を用いて判定
図１３は、パターン判定部２０５におけるパターン判定処理である、検出用パターン１を用いた判定処理、検出用パターン２を用いた判定処理、先頭データの検出処理、最終データの検出処理の一連の処理の動作フローを示している。
【０１１６】
パターン判定部２０５は、遅延処理部２０２−１から２０２−４が保持するデータおよび判定結果情報を参照する（Ｓ２１）。例えばパターン判定部２０５が参照した遅延処理部２０２−１から遅延処理部２０２−４が保持するデータは、図１２（Ｃ）に示すデータとする。またパターン判定部２０５は、遅延処理部２０３−１から２０３−９が保持するデータおよび判定情報を参照する（Ｓ２２）。例えばパターン判定部２０５が参照した遅延処理部２０３−１から遅延処理部２０３−９が保持するデータは、図１２（Ｄ）に示すデータ列とする。パターン判定部２０５は、遅延処理部２０２−１から２０２−４が保持する判定情報を元に、判定用パターン１と一致することを確認する（Ｓ２３）。図１２（Ｃ）のデータ列の場合、判定用パターン１と一致しているので、パターン判定部２０５は２段階目の判定の処理に進む。２段階目の判定の処理では、まず「先頭データの検出」を行う。
【０１１７】
パターン判定部２０５は、遅延処理部２０３−９に保持されているデータが、その１つ前のデータと同一内容であるかどうかの確認を行う（Ｓ２４）。図１２（Ｄ）のデータ列の場合、遅延処理部２０３−９に保持されているＮｏ３のデータは、その１つ前のデータであるＮｏ２のデータと、判定結果情報を参照することで同一内容であることが分かる。よって、判定対象のデータの並び順の先頭データは、Ｎｏ２のデータであることが確定する（Ｓ２５）。
【０１１８】
判定対象のデータの並び順の「先頭データの検出」の処理が終了後、１／６０秒経過後に遅延処理部２０２−１に新たなデータが入力され、遅延処理部２０２−２から遅延処理部２０２−４が保持する各データが更新されると、パターン判定部２０５は、１段階目の判定処理を判定用パターン２を用いて行う（Ｓ２７）
パターン判定部２０５は、遅延処理部２０２−１から２０２−４が保持するデータおよび判定結果情報を参照する（Ｓ２１）。パターン判定部２０５が参照したデータ列は、図１２（Ｅ）とする。またパターン判定部２０５は、遅延処理部２０３−１から２０３−９が保持するデータおよび判定結果情報を参照する（Ｓ２２）。パターン判定部２０５が参照したデータ列は、図１２（Ｆ）とする。パターン判定部２０５は、遅延処理部２０２−１から２０２−４が保持する判定情報を元に、判定用パターン２と一致することを確認する（Ｓ２８）。図１２（Ｅ）のデータ列の場合、判定用パターン２と一致しているので、パターン判定部２０５は２段階目の判定に進む。２段階目の判定では、「終了データの検出」を行う。
【０１１９】
パターン判定部２０５は、遅延処理部２０３−３に保持されているデータが、その１つ後のデータと同一内容であるかどうかの確認を行う（Ｓ２９）。図１２（Ｆ）のデータ列の場合、遅延処理部２０３−３に保持されているデータはＮｏ１１のデータであり、その１つ後のＮｏ１２のデータとは、判定結果情報から同一内容でないことが分かる。よって、判定対象のデータの並び順の終了は、Ｎｏ１１のデータであることが確定する（Ｓ３１）。
【０１２０】
次に、１段階目の判定処理および２段階目の判定処理により検出された先頭データの位置と終了データの位置から、先頭データから終了データまでのデータの数を数える。２段階目の判定処理により、先頭データはＮｏ２であり、終了データはＮｏ１１であることが確定したので、データの数は１０となる（Ｓ３２）。したがって、判定対象のデータは、４６プルダウンのデータであることが確定した（Ｓ３３）。
【０１２１】
以上のように、１２０／Ｐビットストリームに４６プルダウンのデータの並び順が含まれていることを判定するのに、１２０／Ｐサブセットのデータの使用を最小限にし、出来るだけ６０／Ｐサブビットストリームの復号データを使うことで、４６プルダウンのデータの並び順を判定する際に誤判定の可能性を低減することができる。他のプルダウンの方式で生成されたデータに関しても、同様の方法で誤判定の可能性を低減することができる。
【０１２２】
次に第２の実施形態において、第１の実施形態と大きく異なる第１−Ａの判定部２０４−３と第１−Ｂの判定部２０４−４の判定処理について説明する。
【０１２３】
図１４は、第２の実施形態である図４における第１−Ａの判定部２０４−３と第１−Ｂの判定部２０４−４が判定処理を行う際の、処理対象のデータに関して示したものである。第１−Ａの判定部２０４−３は、遅延処理部２０６−２の出力データを第１の入力データとし、メイン画像デコーダ２２−２１の出力データを第２の入力データとする、２つの入力データを持つ。第１−Ｂの判定部２０４−４は、遅延処理部２０６−２の出力データを第１の入力データとし、遅延処理部２０６−１の出力データを第２の入力データとする、２つの入力データを持つ。第１−Ａの判定部２０４−３は、判定処理が完了すると、第１の入力データである遅延処理部２０６−２の出力データと判定結果情報を、遅延処理部２０３−１に出力する。第１−Ｂの判定部２０４−４は、判定処理が完了すると、第２の入力データであるメイン画像デコーダ２２−２１の出力データと判定結果情報を、遅延処理部２０３−１に出力する。
【０１２４】
図１４（Ａ）は、１２０／Ｐビットストリーム（メイン画像と補間ピクチャを合わせたストリーム）を復号することで生成されるデータを、表示タイミングの順に並べた場合の一例を示している。
【０１２５】
図１４（Ｂ）は、図４に示すメイン画像デコーダ２２−２１が６０／Ｐサブビットストリーム（メイン画像）を復号することで生成されるデータを、表示タイミングの順に並べた場合の一例を示している。
【０１２６】
図１４（Ｃ）は、図４に示す遅延処理部２０６−１の出力データを、表示タイミングの順に並べた場合の一例を示している。図１４（Ｃ）のデータは、図１４（Ｂ）のデータに対して１／６０秒の遅延処理が行われているため、（Ｃ）のデータ列は（Ｂ）のデータ列に対して、１／１２０秒分（１フレーム分）時間軸方向にずれたデータの並びとなっている。
【０１２７】
図１４（Ｄ）は、図４に示す補間ピクチャデコーダ２２−２３が１２０／Ｐサブセット（補間ピクチャ）を復号することで生成されるデータを、遅延処理部２０６−２で更に遅延処理をした出力データを、表示タイミングの順に並べた場合の一例を示している。なお、説明を容易にするため、図４に示すメイン画像デコーダ２２−２１から出力される復号後のデータと補間ピクチャデコーダ２２−２３から出力される復号後のデータの出力タイミングは同時であるとする。また、補間ピクチャデコーダ２２−２３から出力される復号後のデータは、メイン画像デコーダ２２−２１から出力される復号後のデータとの順序性を確保するために、遅延処理部２０６−２により、１／６０秒の遅延処理が行われるものとする。
【０１２８】
図１４（Ｅ）は、図４に示す第１−Ａの判定部２０４−３と第１−Ｂの判定部２０４−４のそれぞれが、遅延処理部２０３−１に出力する、判定処理の判定結果情報と出力データの一例を示している。１段目が出力データを、２段目が判定結果情報を示している。２段目に示した判定結果情報は、「０」が第１の入力データと第２の入力データが「同一内容でない」ことを示し、「１」が第１の入力データと第２の入力データが「同一内容である」ことを示している。
【０１２９】
第１−Ａの判定部２０４−３の判定処理と第１−Ｂの判定部２０４−４の判定処理は、平行して行われるが、遅延処理部２０３−１に出力する順序は、第１−Ｂの判定部２０４−４が出力を行ったあとに第１−Ａの判定部２０４−３が出力を行う。
【０１３０】
図１４のデータを例にして、第１−Ａの判定部２０４−３の判定処理と第１−Ｂの判定部２０４−４の一連の処理の流れを具体的に説明する。第１−Ｂの判定部２０４−４は、遅延処理部２０６−１の出力データである（Ｃ）のデータ列と遅延処理部２０６−２の出力データである（Ｄ）のデータ列の２つを入力データとし、遅延処理部２０６−２の出力データである（Ｄ）のデータ列を出力データとしている。時刻ｔ１において、第１−Ｂの判定部２０４−４に入力されたデータは、図１４（Ｃ）のＮｏ１のデータ＝「Ｚ」と図１４（Ｄ）のＮｏ２のデータ＝「Ａ」である。この入力に対して第１−Ｂの判定部２０４−４が遅延処理部２０３−１に出力する内容は、出力するデータ＝「Ａ」、判定結果情報＝「同一でない」（＝０）、となる。この出力内容は図１４（Ｅ）のＮｏ２のデータとなる。なお、（Ｄ）のＮｏ２のデータから見た（Ｃ）のＮｏ１のデータは、表示タイミングが１／１２０秒前のデータである。
【０１３１】
第１−Ｂの判定部２０４−４の判定処理に引き続き、第１−Ａの判定部２０４−３が判定処理を行う。第１−Ａの判定部２０４−３は、メイン画像デコーダ２２−２１の出力データである（Ｂ）のデータ列と遅延処理部２０６−２の出力データである（Ｄ）のデータ列の２つを入力データとし、メイン画像デコーダ２２−２１の出力データである（Ｂ）のデータ列を出力データとしている。時刻ｔ１において、第１−Ａの判定部２０４−３に入力されたデータは、図１４（Ｂ）のＮｏ３のデータ＝「Ａ」と図１４（Ｄ）のＮｏ２のデータ＝「Ａ」である。この入力に対して第１−Ａの判定部２０４−３が遅延処理部２０３−１に出力する内容は、判定結果情報＝「同一である」（＝１）、出力データ＝「Ａ」となる。この出力内容は（Ｅ）のＮｏ３のデータとなる。なお、（Ｂ）のＮｏ３のデータから見た（Ｄ）のＮｏ２のデータは、表示タイミングが１／１２０秒前のデータである。このように、第１−Ａの判定部２０４−３の判定処理と第１−Ｂの判定部２０４−４の判定処理を連続的に行うことで、例えば時刻ｔ１において、図１４（Ａ）におけるＮｏ１のデータとＮｏ２のデータが「同一の内容でない」、Ｎｏ２のデータとＮｏ３のデータが「同一のデータである」ということを検出することができる。
【０１３２】
以上の処理を繰り返すことで、メイン画像デコーダ２２−２１が出力した復号後のデータと補間ピクチャデコーダ２２−２３が出力した復号後のデータを合わせた全てのデータに対して、各データの表示タイミングの順における隣接するデータの内容が一致するかどうか、を判定することができる。
【０１３３】
この判定結果情報をもとにパターン判定部２０５は、図３に示す実施形態におけるパターン判定部２０５と同様に同一内容のデータの並び順のパターンを判定することができる。
【０１３４】
図３に示す実施形態、図４に示す第２の実施形態および図５に示す第３の実施形態においては、判定対象の複数のデータの内容や判定結果情報を保持するために遅延処理部２０１−１から２０１−２および２０２−１から２０２−４および２０３−１から２０３−９および２０６−１を用いた。データの内容や判定結果情報を保持する方法として、この方法以外にも、メモリバッファを用い、そのメモリバッファに判定対象の複数のデータの内容や判定結果情報を保持し、必要なタイミングで読み出す、方法で複数のデータの内容や判定結果情報を保持してもよい。
【０１３５】
以上のように、プルダウンされたデータの誤判定低減のために、判定対象であるデータ列をある特性に応じた２つのデータ列に分離し、各データ列の特性に応じた判定方法を組み合わせた方法とした。検出対象であるデータ列を２つに分ける方法は、判定対象のデータ列を復号する段階で分離する場合と、復号したあとのデータ列に対して分離する２つの方法とした。
【０１３６】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３７】
１・・・テレビジョン受像機、２１・・・映像処理ブロック、２２・・・映像デコーダ、２３・・・判定部、２４・・・映像処理部、２５・・・表示制御部、２６・・・ディスプレイ、５１・・・主制御ブロック、７１・・・リモコン端末（リモートコントローラ）。
【図１】
2017108245.tif 000003
【図２】
2017108245.tif 000004
【図３】
2017108245.tif 000005
【図４】
2017108245.tif 000006
【図５】
2017108245.tif 000007
【図６】
2017108245.tif 000008
【図７】
2017108245.tif 000009
【図８】
2017108245.tif 000010
【図９】
2017108245.tif 000011
【図１０】
2017108245.tif 000012
【図１１】
2017108245.tif 000013
【図１２】
2017108245.tif 000014
【図１３】
2017108245.tif 000015
【図１４】
2017108245.tif 000016